(57)【要約】【課題】  道路上の水を好適に排水するための舗装道路の排水構造及びその排水構造に使用する側溝用導水部材の提供。【解決手段】  ポーラスコンクリートにより舗装された透水性を有する道路表層部１１と、道路側縁に沿って連続し、道路表層部１１と連通した側溝１２とを備えた舗装道路の排水構造において、それぞれ多孔質の板材からなる天板及び側壁板とを有する導水カバー１６を備え、導水カバー１６を側溝上面に設けられた透孔１５と連通した状態に側溝１２上面に突設させ、導水カバー１６の天板を道路表面に露出させるように側溝１２上までポーラスコンクリートで舗装して道路表層部１１を形成する。【選択図】  図１
2005207128.tif 000002
【特許請求の範囲】
【請求項１】
ポーラスコンクリートにより舗装された透水性を有する道路表層部と、道路側縁に沿って連続し、前記道路表層部と連通した側溝とを備えた舗装道路の排水構造において、
それぞれ多孔質の板材からなる天板及び側壁板とを有する導水カバーを備え、該導水カバーを前記側溝上面に設けられた透孔と連通した状態に前記側溝上面に突設させ、前記導水カバーの天板を道路表面に露出させるように前記側溝上までポーラスコンクリートで舗装して前記道路表層部を形成したことを特徴としてなる舗装道路の排水構造。
【請求項２】
平板状の上面当接板と、該上面当接板に形成された通水孔の縁部に突設され、側溝上面に形成された透孔に嵌合される一対の挿入片と、該挿入片の下端に一体に形成された係止部と、前記挿入片の上部に前記上面当接板を介して接続された導水カバーとを備え、前記挿入片を前記透孔に挿入することにより前記導水カバーを前記側溝上面に設けられた透孔と連通した状態に前記側溝上面に突設させるようにした請求項１に記載の舗装道路の排水構造に使用する側溝用導水部材。
【請求項３】
両係止部は、それぞれ先端側が互いに離れる方向に拡開して形成され、透孔の内側面に弾性的に当接する弾性片をもって構成された請求項２に記載の側溝用導水部材。
【請求項４】
両係止部は、先端部に外側に突出した係止爪を備え、該係止爪と上面当接板とにより透孔縁部の肉厚部を挟持するようにした請求項２に記載の側溝用導水部材。
【発明の詳細な説明】
【技術分野】
【０００１】
本発明は、高速道路等の舗装道路の排水構造及びその排水構造に使用する側溝用導水部材に関する。
【背景技術】
【０００２】
従来、高速道路等の舗装道路１では、大量の雨水等が道路表面上に溜まると走行中の車両がスリップ事故等を発生するおそれがあるため、図９に示すように、路床２上に不透水層３を設け、その不透水層３上にポーラスコンクリートによって舗装して透水性を有する道路表層部４を形成し、且つ道路１の側部に中空函状のコンクリートブロック等を順次連結して形成され、道路表層部４と連通した側溝５を備えた排水構造を用いている（例えば、特許文献１を参照）。
【０００３】
このような舗装道路１の排水構造では、道路表層部４に浸透した雨水等が不透水層３によって遮水され、道路表層部４内の不透水層３との境界部を流れて側溝５に排水されるとともに、側溝５の上面に開口した透孔６を通して側溝５内に排水されるようになっている。
【特許文献１】特開２００２−２８５６３０号公報
【発明の開示】
【発明が解決しようとする課題】
【０００４】
しかし、上述の如き側溝を構成する中空函状のコンクリートブロック或いはコンクリート版は、コンクリートを打ち曝したままの状態にあるので、側溝上面に開口した透孔の開口縁部が欠損し易いという問題があり、透孔の開口縁部が欠損することによって、透孔の孔幅が広がり、車輪等が透孔に填り込む危険性が増大するなどの問題があり、また、見栄えも悪いという問題があった。
【０００５】
また、側溝の上面部は、コンクリートを打ち曝したままの状態にあるので、透孔より離れた位置では、排水されずに水が溜りやすいという問題もあった。
【０００６】
そこで本発明は、上述の従来技術の問題を鑑み、見栄えが良く、道路上の水を好適に排水することができる舗装道路の排水構造及びその排水構造に使用する側溝用導水部材の提供を目的とする。
【課題を解決するための手段】
【０００７】
上述の如き従来の問題を解決し、所期の目的を達成するための請求項１に記載の発明は、ポーラスコンクリートにより舗装された透水性を有する道路表層部と、道路側縁に沿って連続し、前記道路表層部と連通した側溝とを備えた舗装道路の排水構造において、それぞれ多孔質の板材からなる天板及び側壁板とを有する導水カバーを備え、該導水カバーを前記側溝上面に設けられた透孔と連通した状態に前記側溝上面に突設させ、前記導水カバーの天板を道路表面に露出させるように前記側溝上までポーラスコンクリートで舗装して前記道路表層部を形成した舗装道路の排水構造であることを特徴とする。
【０００８】
請求項２に記載の発明は、平板状の上面当接板と、該上面当接板に形成された通水孔の縁部に突設され、側溝上面に形成された透孔に嵌合される挿入片と、該挿入片の下端に一体に形成された係止部と、前記挿入片の上部に前記上面当接板を介して接続された導水カバーとを備え、前記挿入片を前記透孔に挿入することにより前記導水カバーを前記側溝上面に設けられた透孔と連通した状態に前記側溝上面に突設させるようにした請求項１に記載の舗装道路の排水構造に使用する側溝用導水部材であることを特徴とする。
【０００９】
請求項３に記載の発明は、請求項２の構成に加え、両係止部は、それぞれ先端側が互いに離れる方向に拡開して形成され、透孔の内側面に弾性的に当接する弾性片をもって構成されたことを特徴とする。
【００１０】
請求項４に記載の発明は、請求項２の構成に加え、両係止部は、先端部に外側に突出した係止爪を備え、該係止爪とフランジ部により透孔縁部の肉厚部を挟持するようにしたことを特徴とする。
【発明の効果】
【００１１】
本発明に係る舗装道路の排水構造は、ポーラスコンクリートにより舗装された透水性を有する道路表層部と、道路側縁に沿って連続し、前記道路表層部と連通した側溝とを備えた舗装道路の排水構造において、それぞれ多孔質の板材からなる天板及び側壁板とを有する導水カバーを備え、該導水カバーを前記側溝上面に設けられた透孔と連通した状態に前記側溝上面に突設させ、前記導水カバーの天板を道路表面に露出させるように前記側溝上までポーラスコンクリートで舗装して前記道路表層部を形成したことによって、側溝上面部に水が溜まることもなく好適に舗装道路上の水を排水することができ、道路の安全性が向上する。
【００１２】
また、このような舗装道路の排水構造では、道路表面に道路表層部と側溝との境目が現れず美観にも優れている。
【００１３】
また、平板状の上面当接板と、該上面当接板に形成された通水孔の縁部に突設され、側溝上面に形成された透孔に嵌合される挿入片と、該挿入片の下端に一体に形成された係止部と、前記挿入片の上部に前記上面当接板を介して接続された導水カバーとを備え、前記挿入片を前記透孔に挿入することにより前記導水カバーを前記側溝上面に設けられた透孔と連通した状態に前記側溝上面に突設させるようにしたことによって、導水カバーを側溝上面に好適に設置することができる。
【００１４】
両係止部が、それぞれ先端側が互いに離れる方向に拡開して形成され、透孔の内側面に弾性的に当接する弾性片をもって構成したこと、或いは両係止部が先端部に外側に突出した係止爪を備え、該係止爪とフランジ部により透孔縁部の肉厚部を挟持するようにしたことにより、透孔に対して好適に側溝用導水部材を装着することができる。
【発明を実施するための最良の形態】
【００１５】
次に、本発明に係る舗装道路の排水構造に関し図１〜図８について説明する。尚、上述の従来例と同一の部分には同一符号を付して説明を省略する。
【００１６】
図１、図２は、高速道路等の舗装道路の排水構造の概略を示している。
【００１７】
舗装道路１０は、図９に示す従来例と同様に、路床２上に不透水層３を設け、その不透水層３上にポーラスコンクリートによって舗装して透水性を有する道路表層部１１が形成されている。
【００１８】
この道路１０の側部には、道路側縁に沿って連続し、道路表層部１１と連通した側溝１２を備えている。
【００１９】
側溝１２は、側溝用コンクリートブロック１３，１３…を道路側縁に沿って順次連結することにより形成され、各側溝用コンクリートブロック１３，１３…は、その上面１３ａが不透水層３の上面３ａと略同じ高さとなるように配置されている。
【００２０】
側溝用コンクリートブロック１３は、直方体状に形成され、その中央長手方向に貫通して円形状の流水路１４が形成されている。
【００２１】
また、この側溝用コンクリートブロック１３の上面部には、内部の流水路１４と連通した透孔１５，１５が間隔を隔てて形成され、その透孔１５の上面開口縁部周縁には、導水カバー取付用の取付凹部１３ｂが形成されている。
【００２２】
この側溝上面、即ち各側溝用コンクリートブロックの上面には、導水カバー１６が透孔１５と連通した状態で側溝上面に突設されるようになっている。
【００２３】
導水カバー１６は、図４〜図７に示すように、多数のパンチング孔１７，１７…が板材全体に形成されたステンレス板（パンチングメタル）等の板材を接曲加工することにより、天板１８、両側壁板１９，１９とを備えた断面コ字状に形成され、底面を透孔１５と連通させた状態で側溝上面より突出した状態に装着されるようになっている。
【００２４】
また、導水カバー１６は、断面コ字型の連結部材２０，２０…により両側壁板１９，１９間が連結されている。
【００２５】
各連結部材２０，２０…の下端部には、通水孔２１が形成され、連結部材により隔てられた導水カバー１６内の空間が通水孔２１により連通されている。
【００２６】
また、導水カバー１６の両側壁板１９，１９には、天板１８とは反対側の縁部に外向きに突出したフランジ部２２，２２が一体に形成されている。
【００２７】
この導水カバー１６の下端には、透孔に装着するためのステンレス材等の板材からなる装着部材が一体化されており、導水カバー１６とともに側溝用導水部材２３を形成している。
【００２８】
装着部材は、導水カバー１６の底面を閉鎖する平板状の上面当接板２４と、上面当接板２４に形成された通水孔２１の縁部より下方に一体に突出した一対の挿入片２５，２５と、挿入片２５，２５の下端部に一体に形成された係止部とを備えている。
【００２９】
上面当接板２４には、矩形の通水孔２６が側溝用コンクリートブロック１３に形成された透孔１５の位置に合わせて形成されている。
【００３０】
また、上面当接板２４の上面には、導水カバー１６のフランジ部２２，２２が溶接又はネジ止め等によって取り付けられるようになっている。
【００３１】
係止部は、挿入片２５の下縁より外側に向けて突出した係止爪２７を備え、この係止爪２７，２７は、弾性的に撓みながら挿入され、透孔１５の裏面側開口より突出すると、弾性力により拡開し、透孔の下側開口縁部に係止されるようになっている。
【００３２】
そして、上面当接板２４と係止爪２７との間に透孔１５の周りのコンクリートブロック肉厚部を挟持することによって、装着部材を透孔１５に装着し、それにより導水カバー１６が透孔１５と連通した状態で側溝上面１３ａに突設されるようになっている。
【００３３】
尚、係止部は、図８に示すように、弾性を有する板状の弾性片２８をもって構成してもよく、両弾性片２８，２８は、挿入片２５と連続して、先端部が互いに離れる方向に拡開した状態に配置されている。尚、上述の実施例と同一の部分には、同一符号を付して説明を省略する。
【００３４】
そして、この側溝用導水部材は、上面当接板２４により下方への抜け止めがなされるとともに、弾性片２８，２８が透孔１５の内面に弾性的に当接することにより透孔１５に装着されるようになっている。
【００３５】
道路表層部１１は、側溝用導水部材を側溝上面、即ち側溝用コンクリートブロック上面１３ａに装着し、側溝上面より導水カバー１６を突出させた状態で、導水カバー１６の天板のみを道路表面に露出させるように側溝の上までポーラスコンクリートで舗装して形成する。
【００３６】
この舗装道路の排水構造では、道路表層部１１に浸透した雨水等の水は不透水層３に遮水され、不透水層３との境界部を流れて導水カバー１６に向けて流れるようになっている。
【００３７】
そして、導水カバー１６の側壁板１９に形成された多数のパンチング孔１７，１７…より導水カバー１６内に導水され、更に導水カバー１６内と連通した側溝用コンクリートブロック１３に形成された透孔１５を通して側溝内の流路に排水される。
【００３８】
また、道路表層部１１に浸透せずに道路表面を流れる水は、道路表面に露出した導水カバー１６の天板１８に形成された多数のパンチング孔１７，１７…より導水カバー１６内に導水され、通水孔２６及び透孔１５を通して側溝内に排水されるようになっている。
【図面の簡単な説明】
【００３９】
【図１】本発明に係る舗装道路の排水構造の概要を示す断面図である。
【図２】同上の舗装道路の部分拡大断面図である。
【図３】図１中の側溝用ブロックと側溝用導水部材の取り付け状態を示す分解斜視図である。
【図４】同上の側溝用導水部材を示す部分拡大正面図である。
【図５】同上の部分拡大平面図である。
【図６】同上の側溝用導水部材を示す正面下側より見た部分拡大斜視図である。
【図７】同上の側溝用導水部材を示す正面上側より見た部分拡大斜視図である。
【図８】同上の他の側溝用導水部材を用いた状態を示す断面図である。
【図９】従来の舗装道路の排水構造を示す断面図である。
【符号の説明】
【００４０】
２  路床
３  不透水層
１０  舗装道路
１１  道路表層部
１２  側溝
１３  側溝用コンクリートブロック
１４  流水路
１５  透孔
１６  導水カバー
１７  パンチ孔
１８  天板
１９  側壁板
２０  連結部材
２１  通水孔
２２  フランジ部
２３  側溝用導水部材
２４  上面当接板
２５  挿入片
２６  通水孔
２７  係止爪
２８  弾性片
【図１】
2005207128.tif 000003
【図２】
2005207128.tif 000004
【図３】
2005207128.tif 000005
【図４】
2005207128.tif 000006
【図５】
2005207128.tif 000007
【図６】
2005207128.tif 000008
【図７】
2005207128.tif 000009
【図８】
2005207128.tif 000010
【図９】
2005207128.tif 000011